(57)【要約】【課題】躯体の躯体壁面と内側壁部材との間の間隔が狭いときに、装着できない。【解決手段】内側壁部材１に壁挿入孔１０及び複数の螺子挿入孔１２を形成し、前記壁挿入孔１０より前記螺子挿入孔１２と同数の板形状補強片７を変形させることなく内側壁部材１の裏側に平行状態になるように順次挿入し、前記補強片７の螺子筒１５を前記螺子挿入孔１２に前記内側壁部材１の裏側から嵌合させ、前記螺子筒１５に螺子１１を前記内側壁部材１の表側から仮螺合させ、前記螺子１１にベースプレート３０の係合孔３１を係合させ後、螺子１１を締付固定し、前記ベースプレート３０の中央のナット３７に、前記内側壁部材１に取付ける物品本体３５の止着用ネジ３６を螺合させる手すり等の物品取付方法。【選択図】図２
2007154517.tif 000002
【特許請求の範囲】
【請求項１】
内側壁部材１の任意位置に所定の大きさの壁挿入孔１０を形成し、該壁挿入孔１０の周辺には壁挿入孔１０を中心とする同芯円上に複数の螺子挿入孔１２を穿孔し、前記壁挿入孔１０より小さい面積で板形状の補強片７を別途用意した工具により補強片７のつまみ部１７を摘みながら壁挿入孔１０に挿入し、該補強片７は変形させることなく内側壁部材１の裏面と平行方向に移動させて内側壁部材１の裏側に入れ、前記螺子挿入孔１２と同数の補強片７の螺子筒１５を、前記螺子挿入孔１２に前記内側壁部材１の裏側から嵌合させ、各補強片７の螺子筒１５に螺子１１を前記内側壁部材１の表側から螺合させ、前記螺子１１に、ベースプレート３０の係合孔３１を係合させ、螺子１１を締付固定し、次に、前記ベースプレート３０の中央のナット３７に、前記内側壁部材１に取付ける物品本体３５の止着用ネジ３６を螺合させる手すり等の物品取付方法。
【請求項２】
躯体２の躯体壁面３に対して所定間隔Ｓを有して内側壁部材１を設置し、該内側壁部材１は前記間隔Ｓと同じかそれ以上の厚さＴを有して形成し、該内側壁部材１の任意位置に所定の大きさの壁挿入孔１０を形成し、該壁挿入孔１０の周辺には壁挿入孔１０を中心とする同芯円上に複数螺子挿入孔１２を穿孔し、前記壁挿入孔１０より小さい面積で且つ前記間隔Ｓより薄い前記螺子挿入孔１２と同数の補強片７を、補強片７の端部のつまみ部１７を別途用意した工具により摘みながら挿入し、挿入した補強片７のつまみ部１７以外の部分を内側壁部材１の裏側に移動させ、次に、補強片７の螺子筒１５を螺子挿入孔１２に内側壁部材１の裏側から嵌合させ、これを反復して複数の各螺子挿入孔１２に補強片７の螺子筒１５を嵌合させ、各補強片７のつまみ部１７は壁挿入孔１０の内周に係合させ、次に各補強片７の螺子筒１５に螺子１１を螺合させて仮止めし、前記内側壁部材１の表に位置する各螺子１１の頭部に、中心にナット３７を有するベースプレート３０の係合孔３１を係合させ、各螺子１１を締付固定し、前記ナット３７に、内側壁部材１に取付ける物品本体３５の止着用ネジ３６を螺合させる手すり等の物品取付方法。
【請求項３】
請求項１または請求項２において、前記各補強片７のつまみ部１７の先端には透孔２５を形成し、該透孔２５には紐状部材２６の一端を係止し、紐状部材２６の他端を前記壁挿入孔１０近傍の内側壁部材１の表面側に接着テープ２７により貼着係止し、この状態で、各補強片７の螺子筒１５を螺子挿入孔１２に嵌合させ、次に各補強片７の螺子筒１５に螺子１１を螺合させる手すり等の物品取付方法。
【請求項４】
請求項１または請求項２または請求項３において、前記補強片７の螺子筒１５は、前記内側壁部材１と躯体２の躯体壁面３との間の間隔Ｓより短い長さとし、前記つまみ部１７は間隔Ｓより長く形成し、補強片７のつまみ部１７を別途用意した工具により摘み、補強片７全体を内側壁部材１の壁挿入孔１０に挿入し、つまみ部１７を壁挿入孔１０内を移動させることにより、螺子筒１５を内側壁部材１の螺子挿入孔１２の位置に合致させて、次に、つまみ部１７を手前に引き、螺子筒１５を螺子挿入孔１２に裏側から嵌合させる手すり等の物品取付方法。
【請求項５】
請求項１または請求項２または請求項３または請求項４において、前記内側壁部材１の厚さＴと、前記内側壁部材１と躯体２の躯体壁面３との間の間隔Ｓとは、相対的に略同等となるように構成した手すり等の物品取付方法。
【請求項６】
躯体２の躯体壁面３に対して所定間隔Ｓを有して内側壁部材１を設置し、該内側壁部材１は前記間隔Ｓと同じかそれ以上の厚さＴを有して形成し、該内側壁部材１の任意位置に所定の大きさの壁挿入孔１０を形成し、該壁挿入孔１０の径より小さく壁挿入孔１０内に挿入可能な面積であって前記間隔Ｓより薄い板部材の補強片７に、前記壁挿入孔１０の軸心方向と並行の螺子筒１５およびつまみ部１７とを固定し、前記螺子筒１５は間隔Ｓより短く形成した手すり等の物品取付装置。
【請求項７】
請求項６において、前記螺子筒１５は、前記壁挿入孔１０の周辺に該壁挿入孔１０を中心とする同芯円上に複数形成した螺子挿入孔１２に内側壁部材１の裏側から嵌合し、前記つまみ部１７は壁挿入孔１０の内周に係合するように構成した手すり等の物品取付装置。
【請求項８】
請求項６または請求項７において、前記つまみ部１７の先端には透孔２５を形成し、透孔２５には所定長さの紐状部材２６の一端を係止した手すり等の物品取付装置。
【請求項９】
請求項６または請求項７または請求項８において、前記補強片７は前記内側壁部材１の螺子挿入孔１２と同数の補強片７により裏側補強具６を構成し、各補強片７の螺子筒１５には螺子１１を螺合させ、該螺子１１により内側壁部材１の表側に、内側壁部材１に取付ける物品本体３５の止着用ネジ３６を螺合させるナット３７を有するベースプレート３０を固定した手すり等の物品取付装置。
【請求項１０】
請求項６または請求項７または請求項８または請求項９において、前記螺子筒１５の周辺の補強片７の外周は円弧状の円弧部２０に形成し、つまみ部１７の周辺の補強片７の外周は傾斜直線部２１に形成した手すり等の物品取付装置。
【発明の詳細な説明】
【技術分野】
【０００１】
本発明は、タオル掛け、手すり、握り棒などの壁に取付ける等の物品の取付方法および取付装置に係るものである。
【背景技術】
【０００２】
従来、壁部材の任意位置に所定の大きさの壁挿入孔を形成し、壁挿入孔から折り畳自在の平板状の補強部材と紐状部材と止着用ネジを挿入し、この時、止着用ネジは補強部材の裏側に位置するように挿入した後、折り畳んだ補強部材を壁部材裏で広げ、次ぎに止着用ネジの先端に設けた紐状部材を手前に引きつつ、止着用ネジの先端を補強部材より突出させ、この止着用ネジの先端を壁挿入孔より更に手前に突出させて、この螺子軸部を紐状部材で引き出した状態で壁側固定部材を螺合させ、壁側固定部材に物品本体を取付ける手すり等の物品取付方法は、公知である（特許文献１参照）。
【特許文献１】特開平１１−３１１００５号公報
【発明の開示】
【発明が解決しようとする課題】
【０００３】
前記公知例は、折り畳んだ補強部材を内側壁部材の裏側に一旦差し込んでから、広げるため、内側壁部材の裏側に補強部材を広げられる大きな間隔（スペース）がないと、装着不能であるという課題がある。
近年、内側壁部材と躯体の躯体壁面との間隔は狭くなる傾向があり、補強部材を裏側に入れてから変形させる手法は、採用できないのである。
即ち、内側壁部材と躯体の躯体壁面との間隔はデッドスペースであり、可及的に狭くしたいが、手すり、握り棒等の物品を取付けるため、止むを得ず広くしている事情があり、内側壁部材の裏側の間隔が狭いために、物品の取付を断念することになるのである。
また、公知例は、折り畳んだ補強部材を壁挿入孔より挿入し、紐状部材を引くと、補強部材が開くとしているが、内側壁部材の裏側の補強部材を変形させる作業は非常に困難であり、面倒である。
また、壁部材の裏側で止着用ネジを補強部材の裏側に位置させたままで補強部材を広げることは殆ど神業といえる。
更に、紐状部材を引いた状態の止着用ネジに壁側固定部材を螺合させることも、作業が面倒である。
本願は、内側壁部材の厚みと同等あるいはそれ以下の内側壁部材と躯体の躯体壁面との間隔であっても、取付け可能な手すり等の物品取付方法を提供するものである。
【課題を解決するための手段】
【０００４】
本発明は、内側壁部材１の任意位置に所定の大きさの壁挿入孔１０を形成し、該壁挿入孔１０の周辺には壁挿入孔１０を中心とする同芯円上に複数の螺子挿入孔１２を穿孔し、前記壁挿入孔１０より小さい面積で板形状の補強片７を別途用意した工具により補強片７のつまみ部１７を摘みながら壁挿入孔１０に挿入し、該補強片７は変形させることなく内側壁部材１の裏面と平行方向に移動させて内側壁部材１の裏側に入れ、前記螺子挿入孔１２と同数の補強片７の螺子筒１５を、前記螺子挿入孔１２に前記内側壁部材１の裏側から嵌合させ、各補強片７の螺子筒１５に螺子１１を前記内側壁部材１の表側から螺合させ、前記螺子１１に、ベースプレート３０の係合孔３１を係合させ、螺子１１を締付固定し、次に、前記ベースプレート３０の中央のナット３７に、前記内側壁部材１に取付ける物品本体３５の止着用ネジ３６を螺合させる手すり等の物品取付方法としたものである。
本発明は、躯体２の躯体壁面３に対して所定間隔Ｓを有して内側壁部材１を設置し、該内側壁部材１は前記間隔Ｓと同じかそれ以上の厚さＴを有して形成し、該内側壁部材１の任意位置に所定の大きさの壁挿入孔１０を形成し、該壁挿入孔１０の周辺には壁挿入孔１０を中心とする同芯円上に複数螺子挿入孔１２を穿孔し、前記壁挿入孔１０より小さい面積で且つ前記間隔Ｓより薄い前記螺子挿入孔１２と同数の補強片７を、補強片７の端部のつまみ部１７を別途用意した工具により摘みながら挿入し、挿入した補強片７のつまみ部１７以外の部分を内側壁部材１の裏側に移動させ、次に、補強片７の螺子筒１５を螺子挿入孔１２に内側壁部材１の裏側から嵌合させ、これを反復して複数の各螺子挿入孔１２に補強片７の螺子筒１５を嵌合させ、各補強片７のつまみ部１７は壁挿入孔１０の内周に係合させ、次に各補強片７の螺子筒１５に螺子１１を螺合させて仮止めし、前記内側壁部材１の表に位置する各螺子１１の頭部に、中心にナット３７を有するベースプレート３０の係合孔３１を係合させ、各螺子１１を締付固定し、前記ナット３７に、内側壁部材１に取付ける物品本体３５の止着用ネジ３６を螺合させる手すり等の物品取付方法としたものである。
本発明は、前記各補強片７のつまみ部１７の先端には透孔２５を形成し、該透孔２５には紐状部材２６の一端を係止し、紐状部材２６の他端を前記壁挿入孔１０近傍の内側壁部材１の表面側に接着テープ２７により貼着係止し、この状態で、各補強片７の螺子筒１５を螺子挿入孔１２に嵌合させ、次に各補強片７の螺子筒１５に螺子１１を螺合させる手すり等の物品取付方法としたものである。
本発明は、前記補強片７の螺子筒１５は、前記内側壁部材１と躯体２の躯体壁面３との間の間隔Ｓより短い長さとし、前記つまみ部１７は間隔Ｓより長く形成し、補強片７のつまみ部１７を別途用意した工具により摘み、補強片７全体を内側壁部材１の壁挿入孔１０に挿入し、つまみ部１７を壁挿入孔１０内を移動させることにより、螺子筒１５を内側壁部材１の螺子挿入孔１２の位置に合致させて、次に、つまみ部１７を手前に引き、螺子筒１５を螺子挿入孔１２に裏側から嵌合させる手すり等の物品取付方法としたものである。
本発明は、前記内側壁部材１の厚さＴと、前記内側壁部材１と躯体２の躯体壁面３との間の間隔Ｓとは、相対的に略同等となるように構成した手すり等の物品取付方法としたものである。
本発明は、躯体２の躯体壁面３に対して所定間隔Ｓを有して内側壁部材１を設置し、該内側壁部材１は前記間隔Ｓと同じかそれ以上の厚さＴを有して形成し、該内側壁部材１の任意位置に所定の大きさの壁挿入孔１０を形成し、該壁挿入孔１０の径より小さく壁挿入孔１０内に挿入可能な面積であって前記間隔Ｓより薄い板部材の補強片７に、前記壁挿入孔１０の軸心方向と並行の螺子筒１５およびつまみ部１７とを固定し、前記螺子筒１５は間隔Ｓより短く形成した手すり等の物品取付装置としたものである。
本発明は、前記螺子筒１５は、前記壁挿入孔１０の周辺に該壁挿入孔１０を中心とする同芯円上に複数形成した螺子挿入孔１２に内側壁部材１の裏側から嵌合し、前記つまみ部１７は壁挿入孔１０の内周に係合するように構成した手すり等の物品取付装置としたものである。
本発明は、前記つまみ部１７の先端には透孔２５を形成し、透孔２５には所定長さの紐状部材２６の一端を係止した手すり等の物品取付装置としたものである。
本発明は、前記補強片７は前記内側壁部材１の螺子挿入孔１２と同数の補強片７により裏側補強具６を構成し、各補強片７の螺子筒１５には螺子１１を螺合させ、該螺子１１により内側壁部材１の表側に、内側壁部材１に取付ける物品本体３５の止着用ネジ３６を螺合させるナット３７を有するベースプレート３０を固定した手すり等の物品取付装置としたものである。
本発明は、前記螺子筒１５の周辺の補強片７の外周は円弧状の円弧部２０に形成し、つまみ部１７の周辺の補強片７の外周は傾斜直線部２１に形成した手すり等の物品取付装置としたものである。
【発明の効果】
【０００５】
請求項１の発明では、複数の補強片７を内側壁部材１の裏側に移動させて入れることにより、躯体壁面３と内側壁部材１との間の間隔が広いときは勿論のこと狭い間隔でも補強片７を変形させることなく装着でき、装着作業を頗る容易に全て内側壁部材１の表面側から作業ができ、この補強片７とベースプレート３０により内側壁部材１を挟持するので、物品本体３５を強固に固定できる。
請求項２の発明では、螺子挿入孔１２に、補強片７の端部のつまみ部１７を摘みながら螺子筒１５を内側壁部材１の裏側から嵌合させるから、簡単確実に取付け作業ができる。
請求項３の発明では、紐状部材２６により補強片７を仮止めでき、紐状部材２６と離れた螺子筒１５に螺子１１を螺合させるので、補強片７の取付が頗る容易にできる。
請求項４の発明では、補強片７を内側壁部材１の裏側に位置させる作業を頗る容易にできる。
請求項５の発明では、所定厚さに形成した内側壁部材１を、内側壁部材１の厚さＴと略同等の間隔となるように、躯体２の躯体壁面３に対して設置すれば、手すり等の物品を取付けることができる。
請求項６の発明では、補強片７に螺子筒１５およびつまみ部１７を固定すればよいので、簡単・安価に製造でき、取付け作業も容易にできる。
請求項７の発明では、内側壁部材１に壁挿入孔１０を螺子挿入孔１２を開ければよく、特殊な工具を要することなく取付け作業ができる。
請求項８の発明では、紐状部材２６を補強片７に簡単に装着できる。
請求項９の発明では、複数の補強片７をベースプレート３０に螺子１１により一体状に固定するので、裏側補強具６の支持強度を向上させることができる。
請求項１０の発明では、補強片７の円弧部２０および傾斜直線部２１により、壁挿入孔１０への挿入作業および回転作業を容易にできる。
【発明を実施するための最良の形態】
【０００６】
本発明の方法を実施しうる装置の一実施例を図により説明すると、１は内側壁部材であり、躯体２の躯体壁面３に対して所定間隔Ｓを有して設置され、内側壁部材１の所定位置には、手すり、タオル掛け、タオル載置棚、あるいは握り棒等の物品本体３５を支持する壁側取付用器具５を取付ける。
内側壁部材１は、既存の内側壁部材１の場合は、内側壁部材１の厚さＴが間隔Ｓより同じかそれ以上であれば、前記壁側取付用器具５の装着が可能であり、一方、新規に内側壁部材１を設置するときは、内側壁部材１の厚さＴを壁側取付用器具５を支持しうる強度となるように設定し、この厚さＴを基準に間隔Ｓが厚さＴと同じかそれ以下となるように、内側壁部材１を設置する。
【０００７】
前記内側壁部材１の所定位置には、壁側取付用器具５の一部を構成する裏側補強具６の補強片７を挿入する壁挿入孔１０を形成する。壁挿入孔１０は所定の大きさを有し、壁挿入孔１０の周辺には、壁挿入孔１０を中心とする同芯円上に複数（３個以上）の螺子１１を挿入する螺子挿入孔１２を設ける。
裏側補強具６は、前記螺子挿入孔１２に内側壁部材１の裏側から挿入する螺子筒１５を固定した補強片７を螺子挿入孔１２と同数有して構成する。補強片７は壁挿入孔１０の軸心方向に対する交差方向で前記間隔Ｓより薄い板部材により形成する。螺子筒１５は壁挿入孔１０の軸心方向と平行で内側壁部材１の表側に向けて突き出るように各補強片７に固定し、補強片７の所定位置には前記螺子筒１５と並行のつまみ部１７を設ける。
【０００８】
補強片７は、螺子筒１５の周辺の外周を円弧状の円弧部２０に形成し、つまみ部１７の周辺の外周は壁挿入孔１０内への挿入を容易にする傾斜直線部２１に形成すると共に、壁挿入孔１０の内径より小さ面積で、且つ、壁挿入孔１０より内側壁部材１の裏側に挿入させうる範囲で可及的に大きく形成すると、内側壁部材１の裏面との接触面積を大きくでき、支持強度が向上して、好適である。
また、螺子筒１５は、内側壁部材１と躯体壁面３との間の間隔Ｓより短い長さとなるように形成する。
【０００９】
前記つまみ部１７の先端には、透孔２５を形成し、透孔２５には落下防止用の紐状部材２６を挿通する。
裏側補強具６は、紐状部材２６の端部を内側壁部材１の外面に接着テープ２７により貼着し、各補強片７のつまみ部１７をペンチ等の工具により摘み、内側壁部材１の壁挿入孔１０に挿入し、つまみ部１７ごと工具により補強片７を回転させて螺子筒１５を螺子挿入孔１２に裏側に位置させ、次に、つまみ部１７を引いて螺子筒１５を螺子挿入孔１２に裏側から嵌合させ、次に、つまみ部１７を壁挿入孔１０の内周に係合させ、この補強片７の挿入作業を反復して、各螺子挿入孔１２に各補強片７の螺子筒１５を装着する。
【００１０】
次に、各螺子挿入孔１２に装着した補強片７の紐状部材２６を貼着させた状態で、螺子１１の先端を螺子挿入孔１２内の螺子筒１５に螺合させ、これを反復して、各螺子挿入孔１２の補強片７の全ての螺子筒１５に螺子１１を螺合させ、裏側補強具６を内側壁部材１に取付ける。
この各螺子１１に、壁側取付用器具５の一部を構成するベースプレート３０の係合孔３１を係合させる。係合孔３１は、螺子１１の螺子頭部１１Ａの通る円形部３２と、螺子軸部１１Ｂの通る係合溝部３３に形成し、各係合孔３１の円形部３２を螺子１１の螺子頭部１１Ａに嵌合させ、次に、ベースプレート３０を回転させて係合孔３１の係合溝部３３を螺子軸部１１Ｂに係合させ、この状態で螺子１１を締め込んで、ベースプレート３０を内側壁部材１に固定する。
【００１１】
この場合、内側壁部材１が薄く、螺子筒１５の先端が螺子挿入孔１２より内側壁部材１の表側に突出するときには、ベースプレート３０の厚さを厚くしてもよく、前記内側壁部材１の厚さＴは、ベースプレート３０の厚さを足した場合でも、前記壁側取付用器具５の装着が可能となる。
【００１２】
しかして、ベースプレート３０の中央裏面には、物品本体３５の止着用ネジ３６が螺合するナット３７を固定する。
この場合、円形部３２は係合溝部３３に対して時計回転側に設けると、止着用ネジ３６をドライバーで締め込んだときベースプレート３０の回転を停止させて、緩み発生を防止でき、作業が容易になって、好適である。
３８は壁側取付用器具５の一部を構成するパッキンシール部材、３９はパッキンシール部材３８の透孔、４０はカバーである。
【００１３】
前記物品本体３５は手すり、タオル掛け、タオル載置棚、あるいは握り棒等の物品であればよく、この名称に限定されるものではない。また、物品本体３５の形状は、任意であり、内側壁部材１に向けて突出る中空筒形状の突出部４３を有していればよく、この突出部４３に止着用ネジ３６を設ければよい。
前記止着用ネジ３６を物品本体３５に設ける物品側取付具４５の構成の一例を示すと、物品側取付具４５は物品本体側取付部材４６と物品本体側取付部材４６に取付ける壁側固定部材４７により構成する。
【００１４】
物品側取付具４５は、壁側固定部材４７の取付孔４８から止着用ネジ３６を挿入して、前記ベースプレート３０の中央裏面のナット３７に螺合させて、壁側固定部材４７を、壁側取付用器具５に固定する。
一方、物品本体側取付部材４６は物品本体３５の突出部４３に回転自在および軸心方向に移動自在に装着し、物品本体側取付部材４６の内周に設けた螺子溝４９を、予め、前記内側壁部材１に取付けた壁側固定部材４７の外周に設けた螺子溝５０に螺合させて取付けて固定する。５１は物品本体側取付部材４６の抜け止め、５２はカバー、５３はカバー５２を螺合させる螺子溝である。
【００１５】
（実施例の作用）
内側壁部材１の所定位置に壁挿入孔１０を形成し、壁挿入孔１０の周辺には、壁挿入孔１０を中心とする同芯円上に３個以上の螺子挿入孔１２を形成する。
紐状部材２６の端部を内側壁部材１の外面に接着テープ２７により貼着し、裏側補強具６の補強片７のつまみ部１７をペンチ等の工具により摘み、補強片７を内側壁部材１の壁挿入孔１０に挿入し、補強片７の螺子筒１５を内側壁部材１の裏側の間隔Ｓ内を内側壁部材１の裏面に沿って移動させて、螺子筒１５が内側壁部材１の螺子挿入孔１２の位置に合致したとき、つまみ部１７を手前に引き、螺子筒１５を螺子挿入孔１２に裏側から嵌合させる。
【００１６】
この螺子筒１５が螺子挿入孔１２に嵌合させた状態で、つまみ部１７を壁挿入孔１０の内周に係合させ、この作業を反復して、各螺子挿入孔１２に裏側補強具６の螺子筒１５を装着する。
即ち、図８のように、補強片７を壁挿入孔１０に挿入し（ペンチ等の工具省略）、図８において下方に移動させ、次に、補強片７を壁挿入孔１０に挿入し（図９）、左側の螺子挿入孔１２に螺子筒１５を嵌合させ、この作業を反復して、図１０では最後の補強片７を壁挿入孔１０に挿入して装着している。
【００１７】
しかして、各螺子挿入孔１２に補強片７の螺子筒１５を装着すると、紐状部材２６を引いた状態で、螺子１１の先端を螺子挿入孔１２内の螺子筒１５に螺合させ、これを反復して、全ての補強片７の螺子筒１５に螺子１１を螺合させる。
したがって、各補強片７は螺子筒１５に螺子１１が螺合しているので、仮止め状態となって、間隔Ｓ内に落下することはない。
【００１８】
しかして、ベースプレート３０の係合孔３１とパッキンシール部材３８の透孔３９を合わせて、ベースプレート３０の係合孔３１に螺子１１を合わせて内側壁部材１の表面に当接させ、次に、ベースプレート３０を回転させて係合孔３１の係合溝部３３を螺子１１の螺子軸部１１Ｂに係合させ、この状態で螺子１１を締め込んで、ベースプレート３０を内側壁部材１に固定する。
【００１９】
この場合、円形部３２は係合溝部３３に対して時計回転側に設けると、螺子１１をドライバーで締め込むときのベースプレート３０の回転を停止させることができ、作業が容易になって、好適である。
次に、ベースプレート３０の表面側にカバー４０を取付け、カバー４０に物品側取付具４５の壁側固定部材４７を当接させ、次に、壁側固定部材４７の取付孔４８から止着用ネジ３６を挿入し、止着用ネジ３６は内側壁部材１の表側からベースプレート３０のナット３７に螺合させる。
【００２０】
止着用ネジ３６がベースプレート３０のナット３７に螺合すると、物品側取付具４５の壁側固定部材４７が予め内側壁部材１に固定され、この壁側固定部材４７に物品本体側取付部材４６を介して物品本体３５を取付ける。
したがって、別途、工具等は要せずに、壁側取付用器具５に壁側固定部材４７を表側から取付けられる。
【００２１】
しかして、壁側取付用器具５は、裏側補強具６とベースプレート３０により構成し、裏側補強具６は、複数の補強片７により形成し、補強片７には螺子筒１５とつまみ部１７を設けているから、壁挿入孔１０内につまみ部１７を留めた状態で内側壁部材１と躯体壁面３との間の間隔Ｓ内で補強片７を回転移動作業させることができる。
【００２２】
即ち、補強片７は間隔Ｓより薄い板部材とし、螺子筒１５は内側壁部材１と躯体壁面３との間の間隔Ｓより短い長さとし、つまみ部１７は間隔Ｓより短い長さに形成しているので、つまみ部１７により補強片７を壁挿入孔１０に挿入してから壁挿入孔１０の放射方向への移動が可能になり、螺子筒１５を螺子挿入孔１２に裏側から嵌合させられる。
【００２３】
換言すると、既存の内側壁部材１の場合は、内側壁部材１の厚さＴが間隔Ｓより同じかそれ以上であれば、前記壁側取付用器具５の装着が可能であり、一方、新規に内側壁部材１を設置するときは、内側壁部材１の厚さＴを壁側取付用器具５を支持しうる強度となるように設定し、この厚さＴを基準に間隔Ｓが厚さＴと同じかそれ以下となるように、内側壁部材１を設置すると、建物の空間を有効利用できる。
【００２４】
しかして、一つの補強片７は、つまみ部１７が壁挿入孔１０内に位置するだけで、補強片７の他の部分は内側壁部材１の裏側に位置するので、次の補強片７を壁挿入孔１０内に挿入する作業の妨げにはならない。
したがって、内側壁部材１の奥側に躯体壁面３があって、内側壁部材１と躯体壁面３の間の間隔Ｓが狭くても、壁側取付用器具５の裏側補強具６の補強片７は、変形させることなく壁挿入孔１０に挿入してから放射方向に移動できるので、躯体壁面３に邪魔されずに内側壁部材１の裏側に挿入できる。
【００２５】
しかも、間隔Ｓより長さの短い螺子筒１５と該螺子筒１５の軸心の交差方向で壁挿入孔１０の面積より小さい補強片７により形成した裏側補強具６を複数内側壁部材１の裏側に装着することで、強固に支持しうる裏側補強具６となる。
この場合、各補強片７は、つまみ部１７が壁挿入孔１０の内周に係合するので、螺子筒１５とつまみ部１７の二箇所で支持されるから、脱落を防止する。
【００２６】
しかして、紐状部材２６の端部を内側壁部材１の外面に接着テープ２７により貼着した状態で、螺子筒１５を螺子挿入孔１２に嵌合させるように、つまみ部１７を壁挿入孔１０の内周に係合させる作業を行うので、一層、補強片７の脱落を防止し、組み付け作業を容易にする。
したがって、裏側補強具６は内側壁部材１の裏側に位置するから、表側から螺子１１を螺子筒１５に簡単に螺合させることができ、裏側補強具６の組立作業を頗る容易にする。
【００２７】
しかして、壁側取付用器具５は、内側壁部材１に形成した壁挿入孔１０の径より小なる面積の補強片７を有して構成し、複数個の補強片７を夫々壁挿入孔１０と同芯の円周上に配置し、裏側補強具６の螺子筒１５に螺子１１を螺合させているので、この螺子１１にベースプレート３０の係合孔３１を係合させることにより、ベースプレート３０に物品本体３５の止着用ネジ３６を螺合させるナット３７を設けることができる。
【００２８】
この場合、壁挿入孔１０から挿入した補強片７が、変形して大きくなることがなくても、壁挿入孔１０の軸心方向に対して放射方向に移動するから、従来の軸棒部材の裏側補強具では装着不可能な狭い間隔Ｓでも装着可能となる。
また、複数の補強片７が、壁挿入孔１０の径より遥かに大きい面積で、内側壁部材１の裏面に当接するから、内側壁部材１と躯体壁面３の間の間隔Ｓの間隔が狭くても、裏側補強具６は、物品本体３５の荷重を支持する大きさとなって、壁側取付用器具５の取付が可能となる。
【図面の簡単な説明】
【００２９】
【図１】壁側取付用器具の組立ておよび物品本体の取付状態概略説明図。
【図２】壁側取付用器具の裏側補強具の補強片の装着状態斜視図。
【図３】補強片の装着状態斜視図。
【図４】補強片の螺子筒に螺子を螺合させた状態斜視図。
【図５】ベースプレートとパッキンシール部材の斜視図。
【図６】補強片の装着状態正面図。
【図７】壁側取付用器具の取付状態断面図。
【図８】補強片の装着状態正面図。
【図９】補強片の装着状態正面図。
【図１０】補強片の装着状態正面図。
【符号の説明】
【００３０】
１…内側壁部材、２…躯体、３…躯体壁面、５…壁側取付用器具、６…裏側補強具、１０…壁挿入孔、１１…螺子、１２…螺子挿入孔、１５…螺子筒、１６…補強片、１７…つまみ部、２０…円弧部、２１…傾斜直線部、２５…透孔、２６…紐状部材、２７…接着テープ、３０…ベースプレート、３１…係合孔、３２…円形部、３３…係合溝部、３５…物品本体、３６…止着用ネジ、３７…ナット、３８…パッキンシール部材、３９…透孔、４０…カバー、４３…突出部、４５…物品側取付具、４６…物品本体側取付部材、４７…壁側固定部材、４８…取付孔、４９…螺子溝、５０…螺子溝、５１…抜け止め、５２…カバー、５３…螺子溝。
【図１】
2007154517.tif 000003
【図２】
2007154517.tif 000004
【図３】
2007154517.tif 000005
【図４】
2007154517.tif 000006
【図５】
2007154517.tif 000007
【図６】
2007154517.tif 000008
【図７】
2007154517.tif 000009
【図８】
2007154517.tif 000010
【図９】
2007154517.tif 000011
【図１０】
2007154517.tif 000012
【手続補正書】
【提出日】平成18年5月12日(2006.5.12)
【手続補正１】
【補正対象書類名】図面
【補正対象項目名】図１
【補正方法】変更
【補正の内容】
【図１】
2007154517.tif 000013
【手続補正２】
【補正対象書類名】図面
【補正対象項目名】図３
【補正方法】変更
【補正の内容】
【図３】
2007154517.tif 000014
【手続補正３】
【補正対象書類名】図面
【補正対象項目名】図８
【補正方法】変更
【補正の内容】
【図８】
2007154517.tif 000015
【手続補正４】
【補正対象書類名】図面
【補正対象項目名】図９
【補正方法】変更
【補正の内容】
【図９】
2007154517.tif 000016
【手続補正５】
【補正対象書類名】図面
【補正対象項目名】図１０
【補正方法】変更
【補正の内容】
【図１０】
2007154517.tif 000017